(57)【要約】【課題】対物レンズを安定して支持した状態で、対物レンズの光軸の向きを調整する、すなわち対物レンズの配置角度を調整することができるレンズホルダーを実現する。【解決手段】本発明のレンズホルダー２０は、対物レンズ１０ａを備え、対物レンズ１０ａを保持し、対物レンズ１０ａと接して対物レンズ１０ａを支持する少なくとも３つのレンズ支持面１１を有し、レンズ支持面１１は、平面または凸状の面であり、対物レンズ１０ａの中心軸を中心とする１つの円周に沿って配置され、且つ対物レンズ１０ａの中心軸に向いている。そのため、レンズホルダー２０によって対物レンズ１０ａを安定して支持した状態で、対物レンズ１０ａの光軸の向きを調整することができる。【選択図】図４
2010129114.tif 000002
【特許請求の範囲】
【請求項１】
レンズを備え、上記レンズを保持するレンズ保持部材において、
上記レンズと接して上記レンズを支持する少なくとも３つの支持面を有し、
上記支持面は、平面または凸状の面であり、上記レンズの中心軸を中心とする１つの円周に沿って配置され、且つ上記レンズの中心軸に向いていることを特徴とするレンズ保持部材。
【請求項２】
１つの上記レンズに対する上記支持面の数は３つであることを特徴とする請求項１に記載のレンズ保持部材。
【請求項３】
１つの上記レンズに対して上記支持面を４つ以上有することを特徴とする請求項１に記載のレンズ保持部材。
【請求項４】
上記レンズを接着する接着剤を溜める凹状の接着部を複数有し、各接着部は、上記レンズの中心軸に対して上記支持面の外側に隣接して配置されていることを特徴とする請求項１から３のいずれか一項に記載のレンズ保持部材。
【請求項５】
上記接着部は、その一部が円錐形状の凹部であることを特徴とする請求項４に記載のレンズ保持部材。
【請求項６】
上記レンズは、上記レンズの中心軸を中心とする円周に沿って、上記支持面と接触する角部を有することを特徴とする請求項１から５のいずれか一項に記載のレンズ保持部材。
【請求項７】
可動部と、上記可動部を変位可能に支持する支持部とを備え、
上記可動部は、請求項１から６のいずれか一項に記載のレンズ保持部材を備えることを特徴とするレンズ駆動装置。
【発明の詳細な説明】
【技術分野】
【０００１】
本発明は、光ディスク等の光記録媒体に情報を記録または光記録媒体から情報を再生する際に用いられる光ピックアップ装置の対物レンズ保持部材に関するものであり、より詳細には、対物レンズを安定して保持した状態でチルト調整をすることができる対物レンズ保持部材、対物レンズ駆動装置および光ピックアップ装置に関する。
【背景技術】
【０００２】
従来から、光ディスク等の光記録媒体に情報を記録または光記録媒体から情報を再生する光ピックアップ装置には、光記録媒体に光ビームを集光する対物レンズが備えられている。この対物レンズは、対物レンズ駆動装置のレンズ保持部に対物レンズの光軸の向きを調整された状態で固定されている。
【０００３】
図６は、従来のレンズホルダー（レンズ保持部材）の構成を示す平面図である。レンズホルダー１００は、円周上に並んで形成された３つのレンズ支持面１１１と、それぞれレンズ支持面１１１の隣に形成された３つのレンズ接着部１１２とを有する。対物レンズ１１０は、レンズホルダー１００の３つのレンズ支持面１１１の中心に配置され、各レンズ支持面１１１に支持されている。対物レンズ１１０は、レンズ接着部１１２に注入された接着剤によってレンズホルダー１００に固定されている。
【０００４】
図７は、図６のＢ−Ｂ断面を示す断面図である。レンズホルダー１００における対物レンズ１１０の下側には光ビームを通過させる光通路１１３が光軸Ｌ２の周りに設けられている。対物レンズ１１０は、その外周部がレンズ支持面１１１に接して支持されている。また、対物レンズ１１０は、レンズ接着部１１２に注入された接着剤（図示せず）によってレンズホルダー１００に固定される。
【０００５】
ここで、この３つのレンズ支持面１１１は略球面であり、レンズ支持面１１１に円形の対物レンズ１１０を設置した場合に、略球面の中心は光軸Ｌ２とほぼ一致するよう構成されている。レンズ支持面１１１が球面になる構成では、対物レンズ１１０の光軸Ｌ２上の点を中心にレンズ支持面１１１の凹球面を設計すればよいので、設計が容易である。このようなレンズホルダーは、例えば特許文献１に記載されている。
【０００６】
レンズ支持面が球面状に形成されているため、対物レンズを配置する角度を調整し、対物レンズの光軸の方向を調整することが可能である。
【特許文献１】特開２００６−２０９８７５号公報（２００６年８月１０日公開）
【発明の開示】
【発明が解決しようとする課題】
【０００７】
しかしながら、上記従来の構成では、対物レンズを設置する際の対物レンズの配置角度の調整がしにくいという問題が生じる。
【０００８】
光軸Ｌ２の方向から見て円形である対物レンズ１１０と、球面であるレンズ支持面１１１とが接する部分は、図６で見れば、すなわち光軸Ｌ２の方向から見れば円弧となる。すなわち、対物レンズ１１０とレンズ支持面１１１とは、線で接する。そのため、製造誤差などによって対物レンズ１１０またはレンズ支持面１１１が歪み、対物レンズ１１０の光軸Ｌ２と、レンズ支持面１１１の球面の中心とがずれた場合、対物レンズ１１０とレンズ支持面１１１とは、対物レンズ１１０の配置角度を変化させることにより線で接したり、複数または１つの点で接したりする。例えば対物レンズ１１０と１つのレンズ支持面１１１とが第１および第２の点の２つの点でのみ接していたときに、対物レンズ１１０の配置角度を変化させるといずれかの点が離れ、対物レンズ１１０と１つのレンズ支持面１１１とが１つの点でのみ接するようになる場合がある。このように、対物レンズ１１０の配置角度を変化させることで接する線または接する点が不連続に変化すると、対物レンズ１１０の支持位置が不安定となることがあり、対物レンズ１１０の配置角度を連続的に変化させることが困難になる。すなわち、対物レンズ１１０の光軸Ｌ２の向きの調整が困難になる。
【０００９】
本発明は、上記の問題点に鑑みてなされたものであり、その目的は、対物レンズを安定して支持した状態で、対物レンズの光軸の向きを調整する、すなわち対物レンズの配置角度を調整することができるレンズホルダーを実現することにある。
【課題を解決するための手段】
【００１０】
本発明に係るレンズ保持部材は、上記課題を解決するために、レンズを備え、上記レンズを保持するレンズ保持部材であって、上記レンズと接して上記レンズを支持する少なくとも３つの支持面を有し、上記支持面は、平面または凸状の面であり、上記レンズの中心軸を中心とする１つの円周に沿って配置され、且つ上記レンズの中心軸に向いていることを特徴としている。
【００１１】
上記の構成において、１つのレンズに対する支持面の数が３つである場合、支持面が平面または凸状の面であるため、レンズは支持面によって３点で支持される。よって、レンズの配置角度を変化させた場合、レンズと各支持面とは常に１つの点でのみ接し、その接点は支持面上を連続的に移動する。したがって、レンズがレンズ保持部材上に安定して支持された状態で、レンズの配置角度を連続的になめらかに変化させることにより、光軸の向きの調整を行うことができる。
【００１２】
また、１つの上記レンズに対して上記支持面を４つ以上有してもよい。
【００１３】
上記の構成によれば、レンズを支持する箇所が増えることにより、レンズの支持箇所をより均等に配置することができる。よって、接着時にレンズに加わる応力をより均等に分散できるので、レンズの変形がレンズの中心軸に対して等方的になる。したがって、接着後のレンズの歪みを低減することができるため、接着前の光軸の向きの調整が容易になる。
【００１４】
上記レンズを接着する接着剤を溜める凹状の接着部を複数有し、各接着部は、上記レンズの中心軸に対して上記支持面の外側に隣接して配置されていてもよい。
【００１５】
上記の構成によれば、接着部でのレンズの接着に起因してレンズに生じる応力を、接着部に隣接する支持面を介してレンズ保持部材に分散させることができる。したがって、接着後のレンズの歪みを低減することができるため、接着前の光軸の向きの調整が容易になる。
【００１６】
上記接着部は、その一部が円錐形状の凹部であってもよい。
【００１７】
上記の構成によれば、接着部に接着剤を塗布または注入した際に、接着剤が凹部の外に広がらず凹部とレンズとで囲われる範囲に留まりやすい。よって、レンズとレンズ保持部材との接着状態を安定させることができる。
【００１８】
上記レンズは、上記レンズの中心軸を中心とする円周に沿って、上記支持面と接触する角部を有してもよい。
【００１９】
本発明のレンズ駆動装置は、可動部と、上記可動部を変位可能に支持する支持部とを備え、上記可動部は、上記レンズ保持部材を備えることを特徴としている。
【００２０】
上記の構成によれば、レンズがレンズ保持部材上に安定して支持された状態で、レンズの配置角度を連続的になめらかに変化させることにより、光軸の向きの調整を行うことができるレンズ駆動装置を実現することができる。
【発明の効果】
【００２１】
本発明に係るレンズ保持部材は、レンズを備え、上記レンズを保持するレンズ保持部材であって、上記レンズと接して上記レンズを支持する少なくとも３つの支持面を有し、上記支持面は、平面または凸状の面であり、上記レンズの中心軸を中心とする１つの円周に沿って配置され、且つ上記レンズの中心軸に向いていることを特徴としている。
【００２２】
したがって、レンズがレンズ保持部材上に安定して支持された状態で、レンズの配置角度を連続的になめらかに変化させることにより、光軸の向きの調整を行うことができる。
【発明を実施するための最良の形態】
【００２３】
［実施の形態１］
本発明の実施の形態について図に基づいて説明する。図１は、本実施の形態の対物レンズ駆動装置の構成を示す斜視図である。対物レンズ駆動装置（レンズ駆動装置）３０は、可動部１と、可動部１を支持する支持部２とを備える。支持部２は、ベース部材３と、可動部１をベース部材３に結合させ支持部２に可動部１を支持させる弾性支持部材４と、磁界発生手段であるマグネット５と、外部の制御装置（図示せず）と接続するためのフレキシブル基板６とを備える。対物レンズ駆動装置３０は、光ディスクに情報を記録する、または光ディスクから情報を再生する光ピックアップ装置に搭載される。
【００２４】
以下、光ディスク（光記録部材；図示せず）の径方向をラジアル方向、光ディスクのトラックの接線方向をタンジェンシャル方向、対物レンズ（レンズ）１０の光軸方向をフォーカス方向と呼ぶことにする。対物レンズ１０の光軸方向の一方に光ディスクの記録平面が位置する。
【００２５】
弾性支持部材４は弾性的に変形可能であり、弾性支持部材４は支持部２に対して可動部１がラジアル方向およびフォーカス方向へ移動可能になるように可動部１を支持している。
【００２６】
可動部１は、光ディスク上に光ビームを集光する２つの対物レンズ１０ａ・１０ｂと、対物レンズ１０ａ・１０ｂを固定するためのレンズホルダー（レンズ保持部材）２０と、電磁力によって可動部１をラジアル方向へ変位させるためのラジアルコイル７と、電磁力によって可動部１をフォーカス方向へ変位させるためのフォーカスコイル８とを備える。
【００２７】
２つの対物レンズ１０ａ・１０ｂは、タンジェンシャル方向に並んで配置されている。対物レンズ１０ａ・１０ｂは、ＣＤまたはＤＶＤ等の光ディスクの種類に応じて、それぞれ異なる波長の光ビームを光ディスク上に集光する。
【００２８】
フォーカスコイル８は、対物レンズ１０ａ・１０ｂの中心を含みラジアル方向に垂直な面に対称に１対配置されている。また、フォーカスコイル８は、それぞれフォーカス方向を軸として巻かれたコイルである。
【００２９】
ラジアルコイル７は、レンズホルダー２０のマグネット５に対向する面に配置され、対物レンズ１０ａ・１０ｂの中心を含みラジアル方向に垂直な面に対称に１対配置されている。また、ラジアルコイル７は、タンジェンシャル方向を軸として巻かれたコイルである。ラジアルコイル７は、その一部のみを有効磁界として利用するため、一部がマグネット５に対向するように突出している。
【００３０】
図２は、本実施の形態のレンズホルダーの構成を示す平面図である。レンズホルダー２０には、２つの対物レンズ１０ａ・１０ｂが配置されている。レンズホルダー２０は、配置された各対物レンズ１０ａ・１０ｂの外周部に３つずつのレンズ接着部（接着部）１２を有する。対物レンズ１０ａ・１０ｂは、レンズ接着部１２に注入される接着剤によってレンズホルダー２０に固定される。レンズホルダー２０には、対物レンズ１０ａ・１０ｂの中心軸を中心としてレンズ接着部１２と同じ径方向に、各対物レンズ１０ａ・１０ｂを支持する３つずつのレンズ支持面（支持面）１１が配置されている。各レンズ支持面１１は、対物レンズの中心軸（光軸）を中心とする円周上に配置されている。各レンズ支持面１１と対物レンズ１０ａ（または対物レンズ１０ｂ）との接点を結んでできる三角形が、鋭角三角形になるようにレンズ支持面１１が配置されている。そのため、３つずつのレンズ支持面１１によって、対物レンズ１０ａ・１０ｂを安定して支持することができる。対物レンズ１０ａと対物レンズ１０ｂとは同様の構成で支持されているので、以下では対物レンズ１０ａの支持の構成についてのみ説明する。
【００３１】
図３は、レンズ支持面およびレンズ接着部の構成を示す拡大斜視図である。本図では対物レンズは図示していない。レンズ支持面１１は、平面形状となっており、その表面は対物レンズの中心軸（光軸）に向いている。すなわち、レンズ支持面１１の表面から引いた法線のいずれかは対物レンズの中心軸と交わる。レンズ接着部１２は、その側面が円錐形状の凹部である。それゆえ、対物レンズを配置し接着剤を塗布または注入した際に、接着剤が凹部の外に広がらず凹部と対物レンズとで囲われる範囲に留まるため、対物レンズとレンズホルダー２０との接着状態を安定させることができる。また、レンズ接着部１２を円錐形状にすることによって、例えば特許文献１のようにレンズ接着部が溝形状である場合より接着剤の塗布形状が安定し、安定した接着が可能となる。
【００３２】
図４は、図２のＡ−Ａ断面を示す断面図である。対物レンズ１０ａの形状は、光軸Ｌ１を軸に対称である。レンズホルダー２０における対物レンズ１０ａの下側には光ビームを通過させる光通路１３が光軸Ｌ１の周りに設けられている。対物レンズ１０ａは、そのレンズ部分の外側にある角部がレンズ支持面１１に接して支持されている。レンズ支持面１１との接触部となる上記角部は対物レンズ１０ａの光軸Ｌ１を中心とする円周に沿って形成されている。また、対物レンズ１０ａは、レンズ接着部１２に注入される接着剤によってレンズホルダー２０に固定される。
【００３３】
ここで、各レンズ支持面１１は平面であり、レンズホルダー２０に円形の対物レンズ１０ａを設置した場合、対物レンズ１０ａの外周部と各レンズ支持面１１とは１つの点で接する。すなわち、対物レンズ１０ａは、レンズホルダー２０の３つのレンズ支持面１１によって、３点で支持される。そのため、対物レンズ１０ａと各レンズ支持面１１とは、対物レンズ１０ａの配置角度を変化させた場合でも、常に１つの点でのみ接する。それゆえ、対物レンズ１０ａは、レンズホルダー２０上で安定して支持される。また、対物レンズ１０ａの配置角度を変化させることで対物レンズ１０ａと各レンズ支持面１１との接点はレンズ支持面１１上を連続的に移動する。そのため、対物レンズ１０ａがレンズホルダー２０上に安定して支持された状態で、対物レンズ１０ａの配置角度を連続的に変化させることが可能である。すなわち、対物レンズ１０ａの光軸Ｌ１の向きの調整が容易である。
【００３４】
また、レンズ接着部１２は、１つのレンズ支持面１１に対して１つずつ設けられている。対物レンズ１０ａをレンズホルダー２０に接着した際に、接着剤の硬化によって接着剤が凝縮し、それによって対物レンズ１０ａに応力が生じる。この応力によって対物レンズ１０ａが変形することがある。ここで、レンズ接着部１２は、対物レンズ１０ａの中心軸に対してレンズ支持面１１の外側に隣接して配置されている。そのため、レンズ接着部１２での接着に起因して対物レンズ１０ａに生じる応力を、レンズ接着部１２に隣接するレンズ支持面１１を介してレンズホルダー２０に分散させることができる。したがって、接着による対物レンズ１０ａの変形を低減することができ、接着後に対物レンズ１０ａの光軸の向きがずれることを防ぐことができる。
【００３５】
［実施の形態２］
図５は、本実施の形態のレンズホルダーの構成を示す平面図である。本実施の形態において、実施の形態１と同等の機能または構成を有する部材については同一の符号を付し、その詳細な説明を省略する。実施の形態１では、１つの対物レンズにつき３つのレンズ支持面が設けられる構成であったが、本実施の形態のレンズホルダー２１は、１つの対物レンズ１０ａにつき４つのレンズ支持面１１を有する構成のものである。
【００３６】
各レンズ支持面１１は、対物レンズ１０ａの外周を４等分するように配置されている。レンズ接着部１２は、１つのレンズ支持面１１に対して１つずつ設けられている。実施の形態１と同様に、各レンズ支持面１１は平面であり、レンズホルダー２１に円形の対物レンズ１０ａを設置した場合、対物レンズ１０ａの外周部と各レンズ支持面１１とは１つの点で接する。それゆえ、対物レンズ１０ａがレンズホルダー２０上に安定して支持された状態で、対物レンズ１０ａの光軸の向きの調整を行うことができる。すなわち、レンズ支持面が球面等の凹状の面で構成されている場合よりも、対物レンズの配置角度をよりなめらかに（連続的に）変化させることができる。
【００３７】
また、１つの対物レンズ１０ａに対してレンズ接着部１２が４箇所に配置されている。実施の形態１に比べ、対物レンズ１０ａの接着箇所および支持箇所が対物レンズ１０ａの外周部においてより均等に配置されるため、対物レンズ１０ａの変形が対物レンズ１０ａの中心に対してより等方的になり、対物レンズ１０ａの歪みを低減することができる。したがって、接着後に対物レンズ１０ａの光軸の向きがずれることを防ぐことができる。
【００３８】
以上の実施の形態では、レンズホルダーに設けられるレンズ支持面の数は、１つの対物レンズに対して３つまたは４つとしたが、それより多くてもよい。レンズ支持面の数が増えると、対物レンズの内部の応力はより等方的になり、対物レンズの歪みは低減される。一方、レンズ支持面の数が少ない場合は、対物レンズの配置角度をよりなめらかに変化させることができる。
【００３９】
また、レンズ支持面は平面であるとしたが、凸である面であってもよい。この場合も、各レンズ支持面は対物レンズと１つの点で接する。
【００４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４１】
レンズ等の集光部材の配置角度を調整する必要がある保持機構に適用できる。
【図面の簡単な説明】
【００４２】
【図１】実施の形態１の対物レンズ駆動装置の構成を示す斜視図である。
【図２】実施の形態１のレンズホルダーの構成を示す平面図である。
【図３】図２のレンズ支持面およびレンズ接着部の構成を示す拡大斜視図である。
【図４】図２のＡ−Ａ断面を示す断面図である。
【図５】実施の形態２のレンズホルダーの構成を示す平面図である。
【図６】従来のレンズホルダーの構成を示す平面図である。
【図７】図６のＢ−Ｂ断面を示す断面図である。
【符号の説明】
【００４３】
１    可動部
２    支持部
３    ベース部材
４    弾性支持部材
５    マグネット
６    フレキシブル基板
７    ラジアルコイル
８    フォーカスコイル
１０、１０ａ、１０ｂ    対物レンズ（レンズ）
１１    レンズ支持面（支持面）
１２    レンズ接着部（接着部）
２０、２１    レンズホルダー（レンズ保持部材）
３０    対物レンズ駆動装置（レンズ駆動装置）
【図１】
2010129114.tif 000003
【図２】
2010129114.tif 000004
【図３】
2010129114.tif 000005
【図４】
2010129114.tif 000006
【図５】
2010129114.tif 000007
【図６】
2010129114.tif 000008
【図７】
2010129114.tif 000009